(57)【要約】【課題】  一対のガイド軸の対向間隔が異なるディスクドライブユニットに共通の光学ピックアップを搭載する。【解決手段】  第１のディスクドライブユニット５に搭載された光学ピックアップ２０に主軸２９ａ及び副軸２９ｂの対向間隔を調整するアダプタ部材５０，６０を取り付けることによって、この光学ピックアップ２０を第１のディスクドライブユニット５よりも主軸２９ａ及び副軸２９ｂの対向間隔が長い第２のディスクドライブユニット５ａに搭載可能とする。又は、主軸２９ａ及び副軸２９ｂの対向間隔を調整するアダプタ部材７０を第２のディスクドライブユニット５ａの副軸２９ｂに一体又は別体に取り付けることによって、第１のディスクドライブユニット５に搭載される光学ピックアップ２０を第２のディスクドライブユニット５ａに搭載可能とする。【選択図】  図１０
2006040448.tif 000002
【特許請求の範囲】
【請求項１】
互いに平行に配置されて光学ピックアップをスライド可能に支持する主軸及び副軸の対向間隔が異なるディスクドライブユニットのうち、当該対向間隔が短い方の第１のディスクドライブユニットに搭載される光学ピックアップを、当該対向間隔が長い方の第２のディスクドライブユニットに搭載するためのアダプタ部材であって、
上記第１のディスクドライブユニットに搭載される光学ピックアップの主軸を挿通するガイド孔が形成された第１の支持部とは反対側の副軸を挟み込むガイド溝が形成された第２の支持部に取り付けられると共に、上記第２のディスクドライブユニットの副軸を挟み込むガイド溝を有することを特徴とするアダプタ部材。
【請求項２】
互いに平行に配置されて光学ピックアップをスライド可能に支持する主軸及び副軸の対向間隔が異なるディスクドライブユニットのうち、当該対向間隔が短い方の第１のディスクドライブユニットに搭載される光学ピックアップを、当該対向間隔が長い方の第２のディスクドライブユニットに搭載するためのアダプタ部材であって、
上記第２のディスクドライブユニットの副軸に取り付けられる又は上記第２のディスクドライブユニットの副軸と一体的に形成されると共に、上記第１のディスクドライブユニットに搭載される光学ピックアップの主軸を挿通するガイド孔が形成された第１の支持部とは反対側の第２の支持部に形成されたガイド溝に挟み込まれるガイド部を有することを特徴とするアダプタ部材。
【請求項３】
長手方向に沿った一方の側端部に、上記第１のディスクドライブユニットの副軸として取り付けた場合に、上記第１のディスクドライブユニットに搭載される光学ピックアップの上記第２の支持部に形成されたガイド溝に挟み込まれる第１のガイド部と、
長手方向に沿った他方の側端部に、上記第２のディスクドライブユニットの副軸として取り付けた場合に、上記第１のディスクドライブユニットの副軸として取り付ける場合とは反対に取り付けることによって、上記第１のディスクドライブユニットに搭載される光学ピックアップの上記第２の支持部に形成されたガイド溝に挟み込まれる第２のガイド部とを有することを特徴とする請求項２記載のアダプタ部材。
【請求項４】
光学ディスクを回転駆動するディスク回転駆動機構と、このディスク回転駆動機構により回転駆動される光学ディスクに対して信号の書き込み及び／又は読み出しを行う光学ピックアップと、この光学ピックアップを上記光学ディスクの半径方向に送り動作させるピックアップ送り機構とを有し、これらがベースに一体に設けられたディスクドライブユニットにおいて、
上記ピックアップ送り機構は、互いに平行に配置された主軸及び副軸と、
上記光学ピックアップを搭載すると共に、上記主軸を挿通するガイド孔が形成された第１の支持部と、上記主軸及び副軸の対向間隔よりも短いディスクドライブユニットの副軸を挟み込むガイド溝が形成された第２の支持部とが設けられたピックアップベースと、
上記第２の支持部に取り付けられると共に、上記副軸を挟み込むガイド溝が設けられたアダプタ部材と、
上記ピックアップベースを上記光学ディスクの半径方向に変位駆動する変位駆動機構とを有し、
上記第１の支持部のガイド孔に上記主軸が挿通されると共に、上記アダプタ部材のガイド溝に上記副軸が挟み込まれることによって、上記ピックアップベースが上記光学ディスクの半径方向にスライド可能に支持されることを特徴とするディスクドライブユニット。
【請求項５】
光学ディスクを回転駆動するディスク回転駆動機構と、このディスク回転駆動機構により回転駆動される上記光学ディスクに対して信号の書き込み及び／又は読み出しを行う光学ピックアップと、この光学ピックアップを上記光学ディスクの半径方向に送り動作させるピックアップ送り機構とを有し、これらがベースに一体に設けられたディスクドライブユニットにおいて、
上記ピックアップ送り機構は、互いに平行に配置された主軸及び副軸と、
上記光学ピックアップを搭載すると共に、上記主軸を挿通するガイド孔が形成された第１の支持部と、上記主軸及び副軸の対向間隔よりも短いディスクドライブユニットの副軸を挟み込むガイド溝が形成された第２の支持部とが設けられたピックアップベースと、
上記副軸に取り付けられる又は上記副軸と一体的に形成されると共に、上記第２の支持部に形成されたガイド溝に挟み込まれるガイド部が設けられたアダプタ部材と、
上記ピックアップベースを上記光学ディスクの半径方向に変位駆動する変位駆動機構とを有し、
上記第１の支持部のガイド孔に上記主軸が挿通されると共に、上記第２の支持部のガイド溝に上記アダプタ部材のガイド部が挟み込まれることによって、上記ピックアップベースが上記光学ディスクの半径方向にスライド可能に支持されることを特徴とするディスクドライブユニット。
【請求項６】
上記アダプタ部材は、その長手方向に沿った一方の側端部に、上記主軸及び副軸の対向間隔よりも短いディスクドライブユニットの副軸として取り付けた場合に、上記ピックアップベースの第２の支持部に形成されたガイド溝に挟み込まれる第１のガイド部と、その長手方向に沿った他方の側端部に、上記副軸として取り付けた場合に、上記主軸及び副軸の対向間隔よりも短いディスクドライブユニットの副軸として取り付ける場合とは反対に取り付けることによって、上記ピックアップベースの第２の支持部に形成されたガイド溝に挟み込まれる第２のガイド部とを有することを特徴とする請求項５記載のディスクドライブユニット。
【請求項７】
光学ディスクを回転駆動するディスク回転駆動機構と、このディスク回転駆動機構により回転駆動される上記光学ディスクに対して信号の書き込み及び／又は読み出しを行う光学ピックアップと、この光学ピックアップを上記光学ディスクの半径方向に送り動作させるピックアップ送り機構とを有し、これらがベースに一体に設けられたディスクドライブユニットと、このディスクドライブユニットを収容する筐体とを備えるディスクドライブ装置において、
上記ピックアップ送り機構は、互いに平行に配置された主軸及び副軸と、
上記光学ピックアップを搭載すると共に、上記主軸を挿通するガイド孔が形成された第１の支持部と、上記主軸及び副軸の対向間隔よりも短いディスクドライブユニットの副軸を挟み込むガイド溝が形成された第２の支持部とが設けられたピックアップベースと、
上記第２の支持部に取り付けられると共に、上記副軸を挟み込むガイド溝が設けられたアダプタ部材と、
上記ピックアップベースを上記光学ディスクの半径方向に変位駆動する変位駆動機構とを有し、
上記第１の支持部のガイド孔に上記主軸が挿通されると共に、上記アダプタ部材のガイド溝に上記副軸が挟み込まれることによって、上記ピックアップベースが上記光学ディスクの半径方向にスライド可能に支持されることを特徴とするディスクドライブ装置。
【請求項８】
光学ディスクを回転駆動するディスク回転駆動機構と、このディスク回転駆動機構により回転駆動される上記光学ディスクに対して信号の書き込み及び／又は読み出しを行う光学ピックアップと、この光学ピックアップを上記光学ディスクの半径方向に送り動作させるピックアップ送り機構とを有し、これらがベースに一体に設けられたディスクドライブユニットと、このディスクドライブユニットを収容する筐体とを備えるディスクドライブ装置において、
上記ピックアップ送り機構は、互いに平行に配置された主軸及び副軸と、
上記光学ピックアップを搭載すると共に、上記主軸を挿通するガイド孔が形成された第１の支持部と、上記主軸及び副軸の対向間隔よりも短いディスクドライブユニットの副軸を挟み込むガイド溝が形成された第２の支持部とが設けられたピックアップベースと、
上記副軸に取り付けられる又は上記副軸と一体的に形成されると共に、上記第２の支持部に形成されたガイド溝に挟み込まれるガイド部が設けられたアダプタ部材と、
上記ピックアップベースを上記光学ディスクの半径方向に変位駆動する変位駆動機構とを有し、
上記第１の支持部のガイド孔に上記主軸が挿通されると共に、上記第２の支持部のガイド溝に上記アダプタ部材のガイド部が挟み込まれることによって、上記ピックアップベースが上記光学ディスクの半径方向にスライド可能に支持されることを特徴とするディスクドライブ装置。
【請求項９】
上記アダプタ部材は、その長手方向に沿った一方の側端部に、上記主軸及び副軸の対向間隔よりも短いディスクドライブユニットの副軸として取り付けた場合に、上記ピックアップベースの第２の支持部に形成されたガイド溝に挟み込まれる第１のガイド部と、その長手方向に沿った他方の側端部に、上記副軸として取り付けた場合に、上記主軸及び副軸の対向間隔よりも短いディスクドライブユニットの副軸として取り付ける場合とは反対に取り付けることによって、上記ピックアップベースの第２の支持部に形成されたガイド溝に挟み込まれる第２のガイド部とを有することを特徴とする請求項８記載のディスクドライブ装置。
【発明の詳細な説明】
【技術分野】
【０００１】
本発明は、主軸及び副軸の対向間隔が異なるディスクドライブユニットの光学ピックアップを共有化するためのアダプタ部材に関する。また、本発明は、そのようなアダプタ部材によって主軸及び副軸の対向間隔が異なるディスクドライブユニットの間で光学ピックアップを共有化したディスクドライブユニット、並びにそのディスクドライブユニットを備えるディスクドライブ装置に関する。
【背景技術】
【０００２】
従来よりＣＤ(Compact Disc)やＤＶＤ(Digital Versatile Disc)といった光ディスク、ＭＤ(Mini Disc)やＭＯ(Magneto optical)といった光磁気ディスクが広く知られており、これら光学ディスクに対応した各種のディスクドライブ装置が登場している。
【０００３】
例えば図１９に示すディスクドライブ装置が備えるディスクドライブユニット２００は、光ディスクを回転駆動するディスク回転駆動機構２０１と、このディスク回転駆動機構２０１により回転駆動される光ディスクに対して信号の書き込み及び読み出し動作を行う光学ピックアップ２０２と、この光学ピックアップ２０２を光ディスクの半径方向に送り動作させるピックアップ送り機構２０３とを備え、これらがベース２０４に取り付けられた構造を有している。
【０００４】
ディスク回転駆動機構２０１は、光ディスクを保持するターンテーブル２０５が設けられた扁平状のスピンドルモータ２０６を有しており、このスピンドルモータ２０６が光ディスクをターンテーブル２０５と一体に回転駆動する。
【０００５】
光学ピックアップ２０２は、半導体レーザから出射された光ビームを対物レンズ２０７で集光させて光ディスクの信号記録面に照射し、この光ディスクの信号記録面で反射された戻りの光ビームを光検出器で検出することによって、光ディスクに対して信号の書き込み又は読み出しを行う。
【０００６】
ピックアップ送り機構２０３は、光学ピックアップ２０２を光ディスクの半径方向にスライド可能に支持する一対のガイド軸２０８ａ，２０８ｂと、光学ピックアップ２０２に取り付けられたラック部材２０９と、このラック部材２０９と噛合されるリードスクリュー２１０と、このリードスクリュー２１０を回転駆動するステッピングモータ２１１とを有しており、このステッピングモータ２１１がリードスクリュー２１０を回転駆動しながら、リードスクリュー２１０と噛合されたラック部材２０９を光学ピックアップ２０２と共に光ディスクの半径方向に変位駆動する。
【０００７】
ベース２０４には、ターンテーブル２０５が臨むテーブル用開口部２１２ａと光学ピックアップ２０２が臨むピックアップ用開口部２１２ｂとが連続して形成されており、これら開口部２１２ａ，２１２ｂからターンテーブル２０５及び光学ピックアップ２０２が臨む側の主面とは反対側の主面に、スピンドルモータ２０６や、一対のガイド軸２０８ａ，２０８ｂの両端部、リードスクリュー２１０、ステッピングモータ２１１等が取り付けられている。
【０００８】
以上のように構成されるディスクドライブ装置では、ディスク回転駆動機構２０１が光ディスクを回転駆動し、ピックアップ送り機構２０３が光学ピックアップ２０２を光ディスクの半径方向に送り動作しながら、光学ピックアップ２０２が光ディスクに対して信号の書き込み又は読み出し動作を行うことで、光ディスクの所望の記録トラックに対する情報信号の記録又は再生が行われる。
【０００９】
ところで、上述したディスクドライブユニット２００は、超薄型のディスクドライブ装置に搭載されるものであり、このような超薄型のディスクドライブ装置は、例えばノート型パーソナルコンピュータ等の薄型のホスト機器に搭載されるため、厚み方向の様々な制約を受けることになる。また、最近のディスクドライブ装置では、上述したＣＤやＤＶＤといった異なるディスクの記録フォーマットに対応した光学ピックアップ２０２をディスクドライブユニット２００に搭載している。さらに、光学ピックアップ２０２をＢＤ(Blu-ray Disc)といった高密度記録フォーマットに対応させることも検討されている。
【００１０】
このため、上述したディスクドライブユニット２００に搭載される光学ピックアップ２０２は、搭載される部品点数の増加に伴い、これら部品の実装面積を確保するため、その形状が厚み方向よりも幅方向に拡大する傾向にある。したがって、この光学ピックアップ２０２を支持する一対のガイド軸２０８ａ，２０８ｂの対向間隔も必然的に長くなる。
【００１１】
しかしながら、ディスクドライブユニット２００では、一対のガイド軸２０８ａ，２０８ｂの対向間隔が長くなることによって、これら一対のガイド軸２０８ａ，２０８ｂの対向間隔に合わせた新たな光学ピックアップ２０２が必要となる。すなわち、従来のディスクドライブ装置では、種類の異なるディスクドライブユニット２００毎に、それ専用の光学ピックアップ２０２を用意する必要があった。
【００１２】
このため、従来のディスクドライブ装置では、一対のガイド軸２０８ａ，２０８ｂの対向間隔が異なるディスクドライブユニット２００の間で１つの光学ピックアップ２０２を共有化することができず、コストの増加を招くといった不都合が生じていた。具体的に、種類の異なるディスクドライブユニット２００毎に光学ピックアップ２０２を用意する場合には、その光学ピックアップ専用の金型が必要となるため、製造費用が嵩むことになる。また、部品や生産設備等を共有化することができないため、部品管理や設備の入れ替えなどの費用も嵩むことになる。
【００１３】
なお、本発明に関連する公知文献としては、例えば下記に示す特許文献１がある。この特許文献１には、対物レンズ及びレンズ駆動部を保持する光学基台を共通仕様とするためにベースプレートにアタッチメントを取り付けた光ピックアップ装置が記載されている。
【００１４】
【特許文献１】特開２００２−２５０７４号公報
【発明の開示】
【発明が解決しようとする課題】
【００１５】
そこで、本発明は、このような従来の事情に鑑みて提案されたものであり、光学ピックアップをスライド可能に支持する一対のガイド軸の対向間隔が異なるディスクドライブユニットに共通の光学ピックアップを搭載可能とするアダプタを提供することを目的とする。
【００１６】
また、本発明は、そのようなアダプタ部材を取り付けることによって、一対のガイド軸の対向間隔が異なるディスクドライブユニットの間で光学ピックアップを共有化し、更なる低コスト化を可能としたディスクドライブユニットを提供することを目的とする。
【００１７】
また、本発明は、そのディスクドライブユニットを備えることによって、更なる低コスト化を可能としたディスクドライブ装置を提供することを目的とする。
【課題を解決するための手段】
【００１８】
この目的を達成するために、本発明に係るアダプタ部材は、互いに平行に配置されて光学ピックアップをスライド可能に支持する主軸及び副軸の対向間隔が異なるディスクドライブユニットのうち、当該対向間隔が短い方の第１のディスクドライブユニットに搭載される光学ピックアップを、当該対向間隔が長い方の第２のディスクドライブユニットに搭載するためのものであり、第１のディスクドライブユニットに搭載される光学ピックアップの主軸を挿通するガイド孔が形成された第１の支持部とは反対側の副軸を挟み込むガイド溝が形成された第２の支持部に取り付けられると共に、第２のディスクドライブユニットの副軸を挟み込むガイド溝を有することを特徴としている。
【００１９】
また、本発明に係るアダプタ部材は、互いに平行に配置されて光学ピックアップをスライド可能に支持する主軸及び副軸の対向間隔が異なるディスクドライブユニットのうち、当該対向間隔が短い方の第１のディスクドライブユニットに搭載される光学ピックアップを、当該対向間隔が長い方の第２のディスクドライブユニットに搭載するためのものであり、第２のディスクドライブユニットの副軸に取り付けられる又は第２のディスクドライブユニットの副軸と一体的に形成されると共に、第１のディスクドライブユニットに搭載される光学ピックアップの主軸を挿通するガイド孔が形成された第１の支持部とは反対側の第２の支持部に形成されたガイド溝に挟み込まれるガイド部を有することを特徴としている。
【００２０】
また、本発明に係るディスクドライブユニットは、光学ディスクを回転駆動するディスク回転駆動機構と、このディスク回転駆動機構により回転駆動される光学ディスクに対して信号の書き込み及び／又は読み出しを行う光学ピックアップと、この光学ピックアップを上記光学ディスクの半径方向に送り動作させるピックアップ送り機構とを有し、これらがベースに一体に設けられたものであり、ピックアップ送り機構は、互いに平行に配置された主軸及び副軸と、光学ピックアップを搭載すると共に、主軸を挿通するガイド孔が形成された第１の支持部と、主軸及び副軸の対向間隔よりも短いディスクドライブユニットの副軸を挟み込むガイド溝が形成された第２の支持部とが設けられたピックアップベースと、第２の支持部に取り付けられると共に、副軸を挟み込むガイド溝が設けられたアダプタ部材と、ピックアップベースを上記光学ディスクの半径方向に変位駆動する変位駆動機構とを有し、第１の支持部のガイド孔に上記主軸が挿通されると共に、アダプタ部材のガイド溝に副軸が挟み込まれることによって、ピックアップベースが光学ディスクの半径方向にスライド可能に支持されることを特徴としている。
【００２１】
また、本発明に係るディスクドライブユニットは、光学ディスクを回転駆動するディスク回転駆動機構と、このディスク回転駆動機構により回転駆動される上記光学ディスクに対して信号の書き込み及び／又は読み出しを行う光学ピックアップと、この光学ピックアップを上記光学ディスクの半径方向に送り動作させるピックアップ送り機構とを有し、これらがベースに一体に設けられたものであり、ピックアップ送り機構は、互いに平行に配置された主軸及び副軸と、光学ピックアップを搭載すると共に、主軸を挿通するガイド孔が形成された第１の支持部と、主軸及び副軸の対向間隔よりも短いディスクドライブユニットの副軸を挟み込むガイド溝が形成された第２の支持部とが設けられたピックアップベースと、副軸に取り付けられる又は副軸と一体的に形成されると共に、第２の支持部に形成されたガイド溝に挟み込まれるガイド部が設けられたアダプタ部材と、ピックアップベースを光学ディスクの半径方向に変位駆動する変位駆動機構とを有し、第１の支持部のガイド孔に主軸が挿通されると共に、第２の支持部のガイド溝にアダプタ部材のガイド部が挟み込まれることによって、ピックアップベースが光学ディスクの半径方向にスライド可能に支持されることを特徴としている。
【００２２】
また、本発明に係るディスクドライブ装置は、光学ディスクを回転駆動するディスク回転駆動機構と、このディスク回転駆動機構により回転駆動される上記光学ディスクに対して信号の書き込み及び／又は読み出しを行う光学ピックアップと、この光学ピックアップを上記光学ディスクの半径方向に送り動作させるピックアップ送り機構とを有し、これらがベースに一体に設けられたディスクドライブユニットと、このディスクドライブユニットを収容する筐体とを備え、ピックアップ送り機構は、互いに平行に配置された主軸及び副軸と、光学ピックアップを搭載すると共に、主軸を挿通するガイド孔が形成された第１の支持部と、主軸及び副軸の対向間隔よりも短いディスクドライブユニットの副軸を挟み込むガイド溝が形成された第２の支持部とが設けられたピックアップベースと、第２の支持部に取り付けられると共に、副軸を挟み込むガイド溝が設けられたアダプタ部材と、ピックアップベースを光学ディスクの半径方向に変位駆動する変位駆動機構とを有し、第１の支持部のガイド孔に主軸が挿通されると共に、アダプタ部材のガイド溝に副軸が挟み込まれることによって、ピックアップベースが光学ディスクの半径方向にスライド可能に支持されることを特徴としている。
【００２３】
また、本発明に係るディスクドライブ装置は、光学ディスクを回転駆動するディスク回転駆動機構と、このディスク回転駆動機構により回転駆動される上記光学ディスクに対して信号の書き込み及び／又は読み出しを行う光学ピックアップと、この光学ピックアップを上記光学ディスクの半径方向に送り動作させるピックアップ送り機構とを有し、これらがベースに一体に設けられたディスクドライブユニットと、このディスクドライブユニットを収容する筐体とを備え、ピックアップ送り機構は、互いに平行に配置された主軸及び副軸と、光学ピックアップを搭載すると共に、主軸を挿通するガイド孔が形成された第１の支持部と、主軸及び副軸の対向間隔よりも短いディスクドライブユニットの副軸を挟み込むガイド溝が形成された第２の支持部とが設けられたピックアップベースと、副軸に取り付けられる又は副軸と一体的に形成されると共に、第２の支持部に形成されたガイド溝に挟み込まれるガイド部が設けられたアダプタ部材と、ピックアップベースを光学ディスクの半径方向に変位駆動する変位駆動機構とを有し、第１の支持部のガイド孔に主軸が挿通されると共に、第２の支持部のガイド溝にアダプタ部材のガイド部が挟み込まれることによって、ピックアップベースが光学ディスクの半径方向にスライド可能に支持されることを特徴としている。
【発明の効果】
【００２４】
以上のように、本発明では、上記アダプタ部材を取り付けることによって、主軸及び副軸の対向間隔が異なるディスクドライブユニットのうち、当該対向間隔が短い方のディスクドライブユニットに搭載される光学ピックアップを、当該対向間隔が長い方のディスクドライブユニットに搭載することが可能である。したがって、本発明では、これら主軸及び副軸の対向間隔が異なるディスクドライブユニットの間で共通の光学ピックアップを搭載することが可能であり、更なる低コスト化を図ることが可能である。
【発明を実施するための最良の形態】
【００２５】
以下、本発明を適用したアダプタ部材、ディスクドライブユニット及びディスクドライブ装置について、図面を参照しながら詳細に説明する。
【００２６】
本発明を適用したディスクドライブ装置は、例えば図１に示すノート型パーソナルコンピュータ１００の機器本体１０１に搭載されたトレイ型のディスクドライブ装置１である。このディスクドライブ装置１は、図２に示すように、例えば９．５ｍｍ程度にまで装置全体が薄型化された構造を有しており、ＣＤ(Compact Disc)やＤＶＤ(Digital Versatile Disc)といった光ディスク２に対して情報信号の記録・再生を行うことが可能となっている。
【００２７】
また、このディスクドライブ装置１は、後述する本発明を適用したアダプタ部材を取り付けることによって、一対のガイド軸である主軸及び副軸の対向間隔が異なるディスクドライブユニットのうち、当該対向間隔が短い方のディスクドライブユニットに搭載される光学ピックアップを、当該対向間隔が長い方のディスクドライブユニットに搭載することを可能としている。
【００２８】
具体的に、このディスクドライブ装置１は、図３及び図４に示すように、筐体３と、この筐体３の前面に設けられたトレイ出入口３ａから水平方向に出し入れされるディスクトレイ４と、このディスクトレイ４に取り付けられたディスクドライブユニット５とを備えている。
【００２９】
筐体３は、全体が略扁平箱状に形成された板金からなる下部筐体６に、その上部開口部を閉塞するように同じく板金からなる天板７がネジ止めによって取り付けられた構造を有している。また、筐体３は、その前面が上記トレイ出入口３ａとして開放されており、内部にディストレイ４を収納するための収納空間が形成されている。
【００３０】
ディスクトレイ４は、全体が略矩形扁平状に形成された樹脂成形体からなり、その上面部には、光ディスク２に対応した形状のディスク保持凹部８が設けられている。また、このディスク保持凹部８の底面部には、ディスクトレイ４の下面部に取り付けられたディスクドライブユニット５を外方に臨ませる開口部９が形成されている。また、このディスクトレイ４の開口部９から外方に臨むディスクドライブユニット５の上面部には、トップカバー１０が取り付けられている。このトップカバー１０には、後述するベース１５に設けられたテーブル用開口部１８ａに対応した略半円状の開口部１０ａと、ピックアップ用開口部１８ｂに対応した略矩形状の開口部１０ｂとが連続して形成されている。
【００３１】
このディスクトレイ４は、その両側面と下部筐体６の内側面との間に介在されるガイドレール機構１１によって、図２に示すトレイ出入口３ａから筐体３の内部へと引き込まれて収納される収納位置と、図３に示すトレイ出入口３ａから筐体３の外部へと引き出される引出位置との間でスライド可能に支持されている。
【００３２】
このディスクトレイ４の前面には、筐体３のトレイ出入口３ａを開閉する略矩形平板状の前面パネル１２が取り付けられている。また、この前面パネル１２の前面には、光ディスク２に対するアクセス状態を点灯表示する表示部１３と、ディスクトレイ４をイジェクトする際に押圧されるイジェクト釦１４とが設けられている。
【００３３】
なお、このディスクトレイ４は、筐体３に収納された際にロック機構（図示せず。）に係止されることによって前面側へのスライドが防止される。そして、この状態からイジェクト釦１４が押圧されると、ロック機構による係止状態が解除されることによって、ディスクトレイ４がトレイ出入口３ａから前面側へと押し出される。これにより、ディスクトレイ４をトレイ出入口３ａから引出位置へと引き出すことが可能となっている。一方、ディスクトレイ４を筐体３の収納位置へと押し込むことによって、再びロック機構に係止されることにより前面側へのスライドが防止される。
【００３４】
ディスクドライブユニット５は、図５及び図６に示すように、板金を所定の形状に打ち抜き、その周囲を僅かに下方に折り曲げてなるベース１５を備え、この下方に折り曲げられたベース１５の端縁部からは、３つの支持片１６が外側に向かって折り曲げ形成されている。各支持片１６には、振動等を吸収するためのゴム等の弾性部材からなるインシュレータ１７が取り付けられている。ベース１５は、これらインシュレータ１７が取り付けられた支持片１６を介してディスクトレイ４の下面部に設けられた支軸（図示せず。）に固定支持されている。また、ベース１５の主面には、後述するターンテーブル２２を上方へと臨ませる略半円状のテーブル用開口部１８ａと、後述する光ディスク２の半径方向に送り動作される光学ピックアップ２０の移動可能な範囲に対応して、この光学ピックアップ２０を上方へと臨ませる略矩形状のピックアップ用開口部１８ｂとが連続して形成されている。
【００３５】
また、ディスクドライブユニット５は、光ディスク２を回転駆動するディスク回転駆動機構１９と、このディスク回転駆動機構１９により回転駆動される光ディスク２に対して信号の書き込み及び読み出しを行う光学ピックアップ２０と、この光学ピックアップ２０を光ディスク２の半径方向に送り動作させるピックアップ送り機構２１とを備え、これらがベース１５の一体に取り付けられた超薄型構造を有している。
【００３６】
ディスク回転駆動機構１９は、光ディスク２が装着されるターンテーブル２２が上面部に設けられた扁平状のスピンドルモータ２３を有し、このスピンドルモータ２３によりターンテーブル２２に装着された光ディスク２を回転駆動する。
【００３７】
また、ターンテーブル２２の中心部には、光ディスク２を取り外し可能に装着するためのチャッキング機構２４が設けられている。このチャッキング機構２４は、光ディスク２の中心孔２ａに係合される係合突部２４ａと、この係合突部２４ａに係合された光ディスク２の中心孔２ａの周囲を係止する複数の係止爪２４ｂとを有し、ターンテーブル２２に装着された光ディスク２のセンタリングを行いながら、この光ディスク２をターンテーブル２２上に保持する。
【００３８】
スピンドルモータ２３は、支持板２５に支持されており、この支持板２５は、ターンテーブル２２がテーブル用開口部１８ａを通してベース１５の上面よりも僅かに突出するように、スペーサ部材２６を介してベース１５の底面部に複数のネジ２７により取り付けられている。
【００３９】
光学ピックアップ２０は、光源となる半導体レーザ（図示せず。）から出射された光ビームを対物レンズ２０ａにより集光させて光ディスク２の信号記録面に照射し、この光ディスク２の信号記録面で反射された戻りの光ビームを光検出器（図示せず。）で検出することによって、光ディスク２に対する信号の書き込み及び読み出し動作を行う。
【００４０】
また、この光学ピックアップ２０は、対物レンズ２０ａを光軸方向（フォーカッシング方向という。）と、光ディスクの記録トラックと直交する方向（トラッキング方向という。）とに変位駆動する２軸アクチュエータ等の対物レンズ駆動機構（図示せず。）を有している。そして、この光学ピックアップ２０では、上述した光検出器により検出された光ディスク２からの検出信号に基づいて、２軸アクチュエータにより対物レンズ２０ａをフォーカッシング方向及びトラッキング方向に変位させながら、光ディスク２の信号記録面上に対物レンズ２０ａの焦点を合わせるフォーカスサーボや、対物レンズ２０ａにより集光される光ビームのスポットを記録トラックに追従させるトラッキングサーボ等の駆動制御を行っている。なお、対物レンズ駆動機構としては、このようなフォーカシング制御及びトラッキング制御に加えて、対物レンズ２０ａにより集光された光ビームを光ディスク２の信号記録面に垂直に照射させるように、光ディスク２の信号記録面に対する対物レンズ２０ａの傾き（スキュー）を調整可能とする３軸アクチュエータを用いてもよい。
【００４１】
ピックアップ送り機構２１は、上記光学ピックアップ２０の各構成部品が搭載されたピックアップベース２８と、このピックアップベース２８を光ディスク２の半径方向にスライド可能に支持する主軸２９ａ及び副軸２９ｂと、これら主軸２９ａ及び副軸２９ｂに支持されたピックアップベース２８を光ディスク２の半径方向に変位駆動する変位駆動機構３０とを有している。
【００４２】
ピックアップベース２８は、ベース１５のピックアップ用開口部１８ｂから外方に臨む位置に配置されると共に、一対のガイド軸である主軸２９ａ及び副軸２９ｂにスライド可能に支持されている。具体的に、このピックアップベース２８には、主軸２９ａを挿通するガイド孔３１ａが形成された一対の第１の支持片３１と、副軸２９ｂを挟み込むガイド溝３２ａが形成された第２の支持片３２とが互いに対向する側面から逆向きに突出形成されている。これにより、ピックアップベース２８は、主軸２９ａ及び副軸２９ｂにスライド可能に支持されて、ベース１５のピックアップ用開口部１８ｂ内を光ディスク２の半径方向に移動可能となっている。
【００４３】
主軸２９ａ及び副軸２９ｂは、所定の対向間隔Ｓ１を有して互いに平行に配置されると共に、それぞれの両端部がベース１５の底面部にスキュー調整機構３３を介して取り付けられている。このスキュー調整機構３３は、主軸２９ａ及び副軸２９ｂの両端部をベース１５の主面と直交する方向に移動可能に支持しており、これら主軸２９ａ及び副軸２９ｂの両端部が支持される位置を調整ネジ３３ａにより調節しながら、光学ピックアップ２０の対物レンズ２０ａにより集光される光ビームが光ディスク２の信号記録面に垂直に照射されるように、主軸２９ａ及び副軸２９ｂの傾きを調整可能としている。また、光学ピックアップ２０とターンテーブル２２に装着された光ディスク２の信号記録面との間の距離も調整可能である。
【００４４】
変位駆動機構３０は、図７に示すように、ピックアップベース２８に取り付けられたラック部材３４と、このラック部材３４と噛合される送りネジ３５と、この送りネジ３５を回転駆動する駆動モータ３６とを有している。
【００４５】
ラック部材３４は、その基端側がピックアップベース２８の第１の支持片３１の間に位置してネジ止めにより取り付けられ、その先端側に主軸２９ａと平行に配置された送りネジ３５と噛合されるラック部３４ａが一体に形成されている。送りネジ３５は、駆動モータ３６の駆動軸と一体に形成されており、その外周面には、上記ラック部材３４のラック部３４ａが噛合される螺旋状のリードスクリュー３５ａが形成されている。駆動モータ３６は、いわゆるステッピングモータであり、駆動パルスに応じて送りネジ３５を回転駆動する。また、これら送りネジ３５及び駆動モータ３６は、ベース１５の底面部にネジ止めによって取り付けられたブラケット３７に支持されている。このブラケット３７は、長尺状の板金の両端部が同一方向に直角に折り曲げられた形状を有しており、その折り曲げられた一端側に送りネジ３５を貫通させた状態で駆動モータ３６が固定される一方、他端に設けられた軸孔に送りネジ３５の先端が軸支されることによって、送りネジ３５を回転可能に支持している。
【００４６】
そして、この変位駆動機構３０は、駆動モータ３６が送りネジ３５を回転駆動しながら、リードスクリュー３５ａとラック部３４ａとの噛合によりラック部材３４を送りネジ３５の軸線方向に変位させることによって、主軸２９ａ及び副軸２９ｂに支持されたピックアップベース２８を光ディスク２の半径方向に変位駆動する。
【００４７】
以上のように構成されるディスクドライブ装置１では、光ディスク２を保持するディスクトレイ４が筐体３に収容された状態において、上記パーソナルコンピュータ１００から記録又は再生の指令が送られると、この指令に基づいて、光ディスク２に対する情報信号の記録又は再生が行われる。具体的には、ディスクドライブユニット５において、ディスク回転駆動機構１９が光ディスク２を回転駆動し、ピックアップ送り機構２１が光学ピックアップ２０を光ディスク２の半径方向に送り動作しながら、光学ピックアップ２０が光ディスク２に対して信号の書き込み又は読み出し動作を行う。
【００４８】
ところで、本発明を適用したディスクドライブ装置１では、上記ディスクドライブユニット（以下、第１のディスクドライブユニットという。）５に搭載された光学ピックアップ２０の第２の支持片３２に、図８に示す本発明を適用したアダプタ部材５０を取り付けることによって、この光学ピックアップ２０を、図９に示す本発明を適用したディスクドライブユニット、すなわち上記第１のディスクドライブユニット５よりも主軸２９ａ及び副軸２９ｂの対向間隔が長いディスクドライブユニット（以下、第２のディスクドライブユニットという。）５ａに搭載することが可能である。
【００４９】
具体的に、本発明を適用したアダプタ部材５０及びこのアダプタ部材５０が取り付けられた第２のディスクドライブユニット５ａについて説明する。
【００５０】
なお、第１及び第２のディスクドライブユニット５，５ａは、上記主軸２９ａ及び副軸２９ｂの対向間隔が異なる以外は、略々同様の構成を有している。したがって、第２のディスクドライブユニット５ａにおいて、上記第１のディスクドライブユニット５と同等の部位については説明を省略すると共に、図面において同じ符号を付すものとする。
【００５１】
このアダプタ部材５０は、略直方体状の基体５１と、この基体５１の一方側に位置して、上記光学ピックアップ２０の第２の支持片３２に取り付けられる取付部５２と、この取付部５２と相対向する基体５１の他方側に位置して、第２のディスクドライブユニット５ａの副軸２９ｂに支持される支持部５３とを有している。
【００５２】
このうち、基体５１は、第２の支持片３２に取り付けられた際に、ガイド溝３２ａに挟み込まれる部分を形成している。取付部５２は、ガイド溝３２ａに挟み込まれた基体５１の両側に位置して、第２の支持片３２を幅方向から挟み込む一対の弾性変位片５２ａ，５２ａを有し、これら一対の弾性変位片５２ａ，５２ａの間には、第２の支持片３２が嵌合される嵌合溝５２ｂが厚み方向に亘って形成されている。支持部５３には、第２のディスクドライブユニット５ａの副軸２９ｂを挟み込むガイド溝５３ａが幅方向に亘って形成されている。
【００５３】
以上のように構成されるアダプタ部材５０は、図９及び図１０に示すように、第２の支持片３２のガイド溝３２ａに基体５１が挟み込まれると共に、嵌合溝５２ｂに第２の支持片３２が嵌合された状態で、一対の弾性変位片５２ａ，５２ａが第２の支持片３２を幅方向を挟み込むことによって、ピックアップベース２８の第２の支持片３２に取り付けられている。なお、このアダプタ部材５０は、第２の支持片３２に取り付けた後に、接着剤により接着することで第２の支持片３２に強固に固定することが可能である。また、このアダプタ部材５０をネジ止めやかしめ等によって第２の支持片３２に固定することも可能である。
【００５４】
これにより、第２のディスクドライブユニット５ａでは、上記第１のディスクドライブユニット５における主軸２９ａ及び副軸２９ｂの対向間隔Ｓ１よりも長い対向間隔Ｓ２を有する主軸２９ａ及び副軸２９ｂのうち、第１の支持片３１のガイド孔３１ａに主軸２９ａが挿通されると共に、アダプタ部材５０のガイド溝５３ａに副軸２９ｂが挟み込まれることによって、ピックアップベース２８が光ディスク２の半径方向にスライド可能に支持される。
【００５５】
したがって、本発明を適用したディスクドライブ装置１では、上記第１のディスクドライブユニット５に搭載される光学ピックアップ２０の第２の支持片３２に上記アダプタ部材５０を取り付けることによって、この光学ピックアップ２０を上記第１のディスクドライブユニット５における主軸２９ａ及び副軸２９ｂの対向間隔Ｓ１よりも長い対向間隔Ｓ２を有する第２のディスクドライブユニット５ａに搭載することが可能である。
【００５６】
また、本発明を適用したアダプタ部材５０は、上記構成に必ずしも限定されるものではなく、例えば図１１に示すアダプタ部材６０のような構成とすることも可能である。
【００５７】
具体的に、このアダプタ部材６０は、略直方体状の基体６１と、この基体６１の一方側に位置して、上記光学ピックアップ２０の第２の支持片３２に取り付けられる取付部６２と、この取付部６２と相対向する基体６１の他方側に位置して、第２のディスクドライブユニット５ａの副軸２９ｂに支持される支持部６３とを有している。
【００５８】
このうち、取付部６２は、第２の支持片３２を厚み方向から挟み込む一対の弾性変位片６２ａ，６２ａを有し、これら一対の弾性変位片６２ａ，６２ａの間には、第２の支持片３２が嵌合される嵌合溝６２ｂが幅方向に亘って形成されている。また、一対の弾性変位片６２ａ，６２ａには、第２の支持片３２に設けられた位置決めピンを係合させる係合孔６２ｃが設けられている。支持部６３には、第２のディスクドライブユニット５ａの副軸２９ｂを挟み込むガイド溝６３ａが幅方向に亘って形成されている。
【００５９】
以上のように構成されるアダプタ部材６０は、図１２及び図１３に示すように、嵌合溝６２ｂに第２の支持片３２が嵌合された状態で、一対の弾性変位片６２ａ，６２ａが第２の支持片３２を厚み方向を挟み込むことによって、ピックアップベース２８の第２の支持片３２に取り付けられている。なお、このアダプタ部材６０は、第２の支持片３２に取り付けた後に、接着剤により接着することで第２の支持片３２に強固に固定することが可能である。また、このアダプタ部材５０をネジ止めやかしめ等によって第２の支持片３２に固定することも可能である。
【００６０】
これにより、第２のディスクドライブユニット５ａでは、上記第１のディスクドライブユニット５における主軸２９ａ及び副軸２９ｂの対向間隔Ｓ１よりも長い対向間隔Ｓ２を有する主軸２９ａ及び副軸２９ｂのうち、第１の支持片３１のガイド孔３１ａに主軸２９ａが挿通されると共に、アダプタ部材６０のガイド溝６３ａに副軸２９ｂが挟み込まれることによって、ピックアップベース２８が光ディスク２の半径方向にスライド可能に支持される。
【００６１】
したがって、本発明を適用したディスクドライブ装置１では、上記第１のディスクドライブユニット５に搭載される光学ピックアップ２０の第２の支持片３２に上記アダプタ部材６０を取り付けることによって、この光学ピックアップ２０を上記第１のディスクドライブユニット５における主軸２９ａ及び副軸２９ｂの対向間隔Ｓ１よりも長い対向間隔Ｓ２を有する第２のディスクドライブユニット５ａに搭載することが可能である。
【００６２】
また、本発明を適用したディスクドライブ装置１では、第１のディスクドライブユニット５に搭載される光学ピックアップ２０を第２のディスクドライブユニット５ａに搭載するため、図１４に示す本発明を適用した別のアダプタ部材７０を第２のディスクドライブユニット５ａの副軸２９ｂとして取り付けることも可能である。
【００６３】
具体的に、本発明を適用した別のアダプタ部材７０及びこのアダプタ部材７０が取り付けられた第２のディスクドライブユニット５ａについて説明する。
【００６４】
このアダプタ部材７０は、長尺状に形成された略矩形状の基体７１と、この基体７１の長手方向の両端部に上記スキュー調整機構３３を介してベース１５の底面部に取り付けられる一対の支軸７２，７２とを有し、これら一対の支軸７２，７２は、基体７１の軸中心に対して一方の側に偏倚して設けられている。また、基体７１の長手方向に沿った側端部のうち、一対の支軸７２，７２が偏倚した側の一方の側端部には、上記第１のディスクドライブユニット５に搭載される光学ピックアップ２０のガイド溝３２ａに係合される第１のガイド部７３ａが設けられ、この第１のガイド部７３ａと相対向する基体７１の他方の側端部には、上記第２のディスクドライブユニット５ａに搭載される光学ピックアップ２０のガイド溝３２ａに係合される第２のガイド部７３ｂが設けられている。
【００６５】
以上のように構成されるアダプタ部材７０は、図１５及び図１６に示すように、第２のガイド部７３ｂが主軸２９ａと対向する向きに、一対の支軸７２，７２を上記スキュー調整機構３３を介してベース１５の底面部に取り付ける。
【００６６】
これにより、第２のディスクドライブユニット５ａでは、上記第１のディスクドライブユニット５における主軸２９ａ及び副軸２９ｂの対向間隔Ｓ１よりも長い対向間隔Ｓ２を有する主軸２９ａ及び副軸２９ｂ（この場合、アダプタ部材７０）のうち、第１の支持片３１のガイド孔３１ａに主軸２９ａが挿通されると共に、第２の支持片３２のガイド溝３２ａにアダプタ部材７０の第２のガイド部７３ｂが挟み込まれることによって、ピックアップベース２８が光ディスク２の半径方向にスライド可能に支持される。
【００６７】
したがって、本発明を適用したディスクドライブ装置１では、上記第２のディスクドライブユニット５ａの副軸２９ｂとして上記アダプタ部材７０を取り付けることによって、上記第１のディスクドライブユニット５に搭載される光学ピックアップ２０を、当該第１のディスクドライブユニット５における主軸２９ａ及び副軸２９ｂの対向間隔Ｓ１よりも長い対向間隔Ｓ２を有する第２のディスクドライブユニット５ａに搭載することが可能である。
【００６８】
一方、このアダプタ部材７０は、上記第１のディスクドライブユニット５の副軸２９ｂとして取り付けることも可能である。
【００６９】
具体的に、このアダプタ部材７０を第１のディスクドライブユニット５ｂの副軸２９ｂとして取り付ける場合には、図１７及び図１８に示すように、上記第２のディスクドライブユニット５ａの副軸２９ｂとして取り付ける場合とは反対に取り付ける。すなわち、第１のガイド部７３ａが主軸２９ａと対向する向きに、一対の支軸７２，７２を上記スキュー調整機構３３を介してベース１５の底面部に取り付ける。
【００７０】
これにより、第１のディスクドライブユニット５では、上記第２のディスクドライブユニット５ａにおける主軸２９ａ及び副軸２９ｂの対向間隔Ｓ２よりも短い対向間隔Ｓ１を有する主軸２９ａ及び副軸２９ｂ（この場合、アダプタ部材７０）のうち、第１の支持片３１のガイド孔３１ａに主軸２９ａが挿通されると共に、第２の支持片３２のガイド溝３２ａにアダプタ部材７０の第１のガイド部７３ａが挟み込まれることによって、ピックアップベース２８が光ディスク２の半径方向にスライド可能に支持される。
【００７１】
したがって、本発明を適用したディスクドライブ装置１では、上記アダプタ部材７０を上記第１及び第２のディスクドライブユニット５，５ａの両方に取り付けることが可能である。
【００７２】
以上のように、本発明を適用したディスクドライブ装置１では、上述した主軸２９ａ及び副軸２９ｂの対向間隔を調整するアダプタ部材５０．６０．７０を取り付けることによって、この主軸２９ａ及び副軸２９ｂの対向間隔Ｓ１，Ｓ２が異なるディスクドライブユニット５ａ，５ｂのうち、当該対向間隔Ｓ１が短い方の第１のディスクドライブユニット５に搭載される光学ピックアップ２０を、当該対向間隔Ｓ２が長い方の第２のディスクドライブユニット５ａに搭載することが可能である。
【００７３】
したがって、本発明を適用したディスクドライブ装置１では、これら主軸２９ａ及び副軸２９ｂの対向間隔Ｓ１，Ｓ２が異なる第１及び第２のディスクドライブユニット５，５ａの間で共通の光学ピックアップ２０を搭載することで、部品や生産設備等を共有化することが可能であり、上述した金型を作製するための費用や、部品管理や設備の入れ替えなどの費用を大幅に削減することが可能である。
【００７４】
なお、本発明は、副軸２９ｂと一体的に形成された上記アダプタ部材７０を上記第２のディスクドライブユニット５ａに取り付ける構成に限らず、第１のディスクドライブユニット５に搭載される光学ピックアップ２０を第２のディスクドライブユニット５ａに搭載するために、上述した主軸２９ａ及び副軸２９ｂの対向間隔を調整するアダプタ部材を副軸２９ｂに別個に取り付ける構成とすることも可能である。
【００７５】
なお、本発明では、第１のディスクドライブユニット５に搭載される光学ピックアップ２０を第２のディスクドライブユニット５ａに搭載するため、上述した主軸２９ａ及び副軸２９ｂの対向間隔を調整するアダプタ部材を主軸２９ａ側に設ける構成も考えられる。しかしながら、主軸２９ａ側には、上記変位駆動機構３０があるため、アダプタ部材を主軸２９側に設けると、上記変位駆動機構３０との間で新たな調整部品が必要となる。したがって、本発明のように、副軸２９ｂ側にアダプタ部材を設けることが望ましい。これにより、更なる低コスト化が可能である。
【００７６】
また、本発明では、上記変位駆動機構３０の送りネジ３５と主軸２９ａとが一体的に形成された構成であってもよい。
【産業上の利用可能性】
【００７７】
なお、本発明は、上述したトレイ型のディスクドライブ装置１に限らず、筐体の前面に設けられたディスク挿脱口から光学ディスクが挿脱されるスロットイン型のディスクドライブ装置にも適用可能である。
【００７８】
また、本発明は、上述した光ディスク２以外の光ディスクや、光磁気ディスク等の光学ディスク、或いはこれら光学ディスクがディスクカートリッジに収納されたものに対して情報信号の記録及び／又は再生を行うディスクドライブ装置にも適用可能である。
【図面の簡単な説明】
【００７９】
【図１】本発明を適用したディスクドライブ装置が搭載されたノート型パーソナルコンピュータを示す斜視図である。
【図２】上記ディスクドライブ装置のディスクトレイが収納された状態を示す斜視図である。
【図３】上記ディスクドライブ装置のディスクトレイが引き出された状態を示す斜視図である。
【図４】上記ディスクドライブ装置の構成を示す分解斜視図である。
【図５】第１のディスクドライブユニットを上面側から見た斜視図である。
【図６】第１のディスクドライブユニットを底面側から見た斜視図である。
【図７】第１のディスクドライブユニットの要部を示す平面図である。
【図８】本発明を適用したアダプタ部材を示す斜視図である。
【図９】図８に示すアダプタ部材が取り付けられた第２のディスクドライブユニットを示す斜視図である。
【図１０】図８に示すアダプタ部材が取り付けられた第２のディスクドライブユニットの要部を示す平面図である。
【図１１】本発明を適用したアダプタ部材の変形例を示す斜視図である。
【図１２】図１１に示すアダプタ部材が取り付けられた第２のディスクドライブユニットを示す斜視図である。
【図１３】図１１に示すアダプタ部材が取り付けられた第２のディスクドライブユニットの要部を示す平面図である。
【図１４】本発明を適用した別のアダプタ部材を示す斜視図である。
【図１５】図１４に示すアダプタ部材が取り付けられた第２のディスクドライブユニットを示す斜視図である。
【図１６】図１４に示すアダプタ部材が取り付けられた第２のディスクドライブユニットの要部を示す平面図である。
【図１７】図１４に示すアダプタ部材が取り付けられた第１のディスクドライブユニットを示す斜視図である。
【図１８】図１４に示すアダプタ部材が取り付けられた第１のディスクドライブユニットの要部を示す平面図である。
【図１９】従来のディスクドライブ装置が備えるディスクドライブユニットを示す斜視図である。
【符号の説明】
【００８０】
１  ディスクドライブ装置、  ２  光ディスク、  ３  筐体、  ４  ディスクトレイ、  ５  第１のディスクドライブユニット、  ５ａ  第２のディスクドライブユニット、  １５  ベース、  １９  ディスク回転駆動機構、  ２０  光学ピックアップ、  ２１  ピックアップ送り機構、  ２８  ピックアップベース、  ２９ａ  主軸、  ２９ｂ  副軸、  ３０  変位駆動機構、  ３１  第１の支持片、  ３１ａ  ガイド孔、  ３２  第２の支持片、  ３２ａ  ガイド溝、  ５０  アダプタ部材、  ５３ａ  ガイド溝、  ６０  アダプタ部材、  ６３ａ  ガイド溝、  ７０  アダプタ部材、  ７３ａ  第１のガイド部、  ７３ｂ  第２のガイド部
【図１】
2006040448.tif 000003
【図２】
2006040448.tif 000004
【図３】
2006040448.tif 000005
【図４】
2006040448.tif 000006
【図５】
2006040448.tif 000007
【図６】
2006040448.tif 000008
【図７】
2006040448.tif 000009
【図８】
2006040448.tif 000010
【図９】
2006040448.tif 000011
【図１０】
2006040448.tif 000012
【図１１】
2006040448.tif 000013
【図１２】
2006040448.tif 000014
【図１３】
2006040448.tif 000015
【図１４】
2006040448.tif 000016
【図１５】
2006040448.tif 000017
【図１６】
2006040448.tif 000018
【図１７】
2006040448.tif 000019
【図１８】
2006040448.tif 000020
【図１９】
2006040448.tif 000021